(57)【要約】【課題】建築物の躯体開口部を開閉する引戸式のドア体と、前記開口部の屋内外何れか一方の戸尻側半部に配した戸袋とを備えて構成される引戸式ドア装置において、前記開口部の他方の戸尻側半部に、開閉移動可能な防護パネルを設ける。【解決手段】防護パネル４の開閉移動を規制するロック手段と、防護パネル４とドア体２の重合部の少なくとも上框材の重合部に設けられ、ロック状態ではドア体２が防護パネル４に対して開閉移動し、ロック解除状態では防護パネル４がドア体２に対して開閉移動するための開閉移動手段とを設け、該防護パネル４を既存のドア装置へ後付けした場合であっても、上枠１ａ内に収容される自動開閉機構Ｍのメンテナンス性を損なわないように構成した。【選択図】図４
2012202095.tif 000002
【特許請求の範囲】
【請求項１】
建築物の躯体開口部を開閉する引戸式のドア体と、前記開口部の屋内外何れか一方の戸尻側半部に配した戸袋とを備えて構成される引戸式ドア装置において、
前記開口部の他方の戸尻側半部に、開閉移動可能な防護パネルを、ドア体を全閉姿勢にしたときに防護パネルの戸先側端部とドア体の戸尻側端部とが屋内外側に重なり合う重合部を有するようにして設けるにあたり、
該防護パネルが開閉移動をすることのロックおよびロック解除ができるロック手段と、
防護パネルとドア体の重合部の少なくとも上框材の重合部に設けられ、前記ロックがなされた状態ではドア体が防護パネルに対して開閉移動し、ロック解除がなされた状態では防護パネルがドア体に対して開閉移動するための開閉移動手段とが設けられていることを特徴とする引戸式ドア装置。
【請求項２】
前記防護パネルは、戸尻側端部が躯体開口部の戸尻側部位に縦支軸を介して内外方向揺動自在に軸支されたものであり、
開閉移動手段は、ドア体と前記防護パネルとの前記重合部同士のうちの何れか一方の重合部に設けられ、他方の重合部側に向けて突出するガイドローラと、
他方の重合部に設けられ、前記ガイドローラを防護パネルが開放方向に揺動するのを規制する状態で防護パネルは残してドア体のみが開閉移動するようガイドするガイドレールとで構成され、
ロック手段は、ドア体が全閉した状態でガイドローラがガイドレールから抜け出し可能に構成され、通常時には該ガイドローラの抜け出しを規制し、メンテナンス時に該規制を解除操作できる操作体を備えて構成されていることを特徴とする請求項１記載の引戸式ドア装置。
【請求項３】
ロック手段は、ガイドレールに形成された切欠き部と、該切欠き部を開閉自在に覆蓋するキャップとで構成されていることを特徴とする請求項２記載の引戸式ドア装置。
【請求項４】
ロック手段は、ガイドレールに出没自在に挿入するガイドローラにより構成されていることを特徴とする請求項２記載の引戸式ドア装置。
【請求項５】
前記防護パネルは、前記開閉移動手段によって左右方向スライド移動自在に支持されたものであり、
開閉移動手段は、ドア体と前記防護パネルとの前記重合部同士のうちの何れか一方の重合部に設けられ、他方の重合部側に向けて突出するガイドローラと、
他方の重合部に設けられ、防護パネルがスライド移動するのを規制するロック状態において、防護パネルは残してドア体のみが開閉移動するようガイドし、ロック解除状態において、防護パネルがスライド移動できるようガイドするガイドレールとで構成され、
ロック手段は、防護パネルの戸尻側框材に設けられるロック体が、ドア体の戸尻側縦枠の屋内側に固着される補助枠に係脱可能に設けられ、通常時には該ロック体を補助枠に係止することで防護パネルの移動を規制し、メンテナンス時には該規制を解除できるように構成されていることを特徴とする請求項１記載の引戸式ドア装置。
【発明の詳細な説明】
【技術分野】
【０００１】
本発明は、商店や公共施設等の建築物の出入口部等に設けられる引戸式ドア装置の技術分野に属するものである。
【背景技術】
【０００２】
一般に、引戸式ドア装置のドア体は屋内外方向何れか一方の空間において剥き出しの状態であるため、該一方側においては、ドア体のスライド開閉作動の過程で、戸尻側躯体の近傍に人がいたり物体があるとドア体が当接して怪我をしたり破損したりする惧れがある。
【０００３】
そこで、既存の引戸式ドア装置において、戸尻側躯体に沿って防護パネルを設けて、戸尻側躯体と防護パネルとのあいだにおいてドア体が開閉作動するよう構成し、開閉移動するドア体が人や物体に当接するのを防止するようにしたものが知られている（例えば、特許文献１参照）。
【先行技術文献】
【特許文献】
【０００４】
【特許文献１】特開２０１０−１１６７７０号公報
【発明の概要】
【発明が解決しようとする課題】
【０００５】
しかしながら前記特許文献１に記載される防護パネルは、ドア枠を構成している上枠に、左右方向開閉移動自在にした引き戸式の防護パネルを吊持したものであるため、ドア体が電動式のものであって、該電動駆動装置が上枠内に備えられているものである場合、電動駆動装置等のメンテナンスを行うためには、まず、防護パネルを上枠から外した後、上枠の外板を取り外して電動駆動装置を露出させる必要があって、作業性に劣るといった問題がある。
さらに、前記特許文献１に記載される開き戸式の防護パネルは、戸先側をフランス落し錠で固定するものであるため、床面に挿入穴を設ける必要があって、該挿入穴にゴミや水等が溜まるといった問題があり、これらに本発明の解決すべき課題がある。
【課題を解決するための手段】
【０００６】
本発明は、上記の如き実情に鑑みこれらの課題を解決することを目的として創作されたものであって、請求項１の発明は、建築物の躯体開口部を開閉する引戸式のドア体と、前記開口部の屋内外何れか一方の戸尻側半部に配した戸袋とを備えて構成される引戸式ドア装置において、前記開口部の他方の戸尻側半部に、開閉移動可能な防護パネルを、ドア体を全閉姿勢にしたときに防護パネルの戸先側端部とドア体の戸尻側端部とが屋内外側に重なり合う重合部を有するようにして設けるにあたり、該防護パネルが開閉移動をすることのロックおよびロック解除ができるロック手段と、防護パネルとドア体の重合部の少なくとも上框材の重合部に設けられ、前記ロックがなされた状態ではドア体が防護パネルに対して開閉移動し、ロック解除がなされた状態では防護パネルがドア体に対して開閉移動するための開閉移動手段とが設けられていることを特徴とする引戸式ドア装置である。
請求項２の発明は、前記防護パネルは、戸尻側端部が躯体開口部の戸尻側部位に縦支軸を介して内外方向揺動自在に軸支されたものであり、開閉移動手段は、ドア体と前記防護パネルとの前記重合部同士のうちの何れか一方の重合部に設けられ、他方の重合部側に向けて突出するガイドローラと、他方の重合部に設けられ、前記ガイドローラを防護パネルが開放方向に揺動するのを規制する状態で防護パネルは残してドア体のみが開閉移動するようガイドするガイドレールとで構成され、ロック手段は、ドア体が全閉した状態でガイドローラがガイドレールから抜け出し可能に構成され、通常時には該ガイドローラの抜け出しを規制し、メンテナンス時に該規制を解除操作できる操作体を備えて構成されていることを特徴とする請求項１記載の引戸式ドア装置である。
請求項３の発明は、ロック手段は、ガイドレールに形成された切欠き部と、該切欠き部を開閉自在に覆蓋するキャップとで構成されていることを特徴とする請求項２記載の引戸式ドア装置である。
請求項４の発明は、ロック手段は、ガイドレールに出没自在に挿入するガイドローラにより構成されていることを特徴とする請求項２記載の引戸式ドア装置である。
請求項５の発明は、前記防護パネルは、前記開閉移動手段によって左右方向スライド移動自在に支持されたものであり、開閉移動手段は、ドア体と前記防護パネルとの前記重合部同士のうちの何れか一方の重合部に設けられ、他方の重合部側に向けて突出するガイドローラと、他方の重合部に設けられ、防護パネルがスライド移動するのを規制するロック状態において、防護パネルは残してドア体のみが開閉移動するようガイドし、ロック解除状態において、防護パネルがスライド移動できるようガイドするガイドレールとで構成され、ロック手段は、防護パネルの戸尻側框材に設けられるロック体が、ドア体の戸尻側縦枠の屋内側に固着される補助枠に係脱可能に設けられ、通常時には該ロック体を補助枠に係止することで防護パネルの移動を規制し、メンテナンス時には該規制を解除できるように構成されていることを特徴とする請求項１記載の引戸式ドア装置である。
【発明の効果】
【０００７】
請求項１の発明とすることにより、必要において開放操作し、戸袋内の清掃等の作業ができる防護パネルを、既存のドア装置へ後付けしたとしても、上枠内に収容される自動開閉機構のメンテナンス性を損なうことがない。
請求項２の発明とすることにより、ロック手段を備えた開き戸式の防護パネルを容易に設置でき、しかも、戸袋内の清掃等の作業性がよいものとすることができる。
請求項３、４の発明とすることにより、開き戸式にした防護パネルのロック手段を簡易に実現することができる。
請求項５の発明とすることにより、ロック手段を備えた引戸式の防護パネルを容易に設置することができ、しかも、戸袋内の清掃等の作業性がよいものとすることができる。
【図面の簡単な説明】
【０００８】
【図１】引戸式ドア装置の正面図である。
【図２】第一の実施の形態における引戸式ドア装置の横断面図である。
【図３】第一の実施の形態における引戸式ドア装置の（Ａ）は要部拡大正面図、（Ｂ）は要部拡大横断面図、（Ｃ）は補強板及び補強爪の斜視図である。
【図４】第一の実施の形態における引戸式ドア装置の縦断面図である。
【図５】（Ａ）、（Ｂ）は、それぞれ第一の実施の形態における要部拡大縦断面図である。
【図６】第一の実施の形態のキャップを表す（Ａ）、（Ｂ）は斜視図、（Ｃ）は正面図、（Ｄ）はＡ−Ａ断面図である。
【図７】第二の実施の形態における（Ａ）は要部拡大横断面図、（Ｂ）は要部拡大縦断面図である。
【図８】（Ａ）、（Ｂ）は、それぞれ第二の実施の形態におけるキャップおよびガイドレールの斜視図である。
【図９】（Ａ）、（Ｂ）は、それぞれ第三の実施の形態における要部拡大縦断面図である。
【図１０】（Ａ）、（Ｂ）は、それぞれ第四の実施の形態における要部拡大断面図である。
【図１１】（Ａ）、（Ｂ）は、それぞれ第五の実施の形態における要部拡大断面図である。
【図１２】（Ａ）〜（Ｄ）は、それぞれ第六〜第九の実施の形態における要部拡大断面図である。
【図１３】第十の実施の形態における引戸式ドア装置の正面図である。
【図１４】第十の実施の形態における引戸式ドア装置の横断面図である。
【図１５】第十の実施の形態における引戸式ドア装置の縦断面図である。
【図１６】（Ａ）〜（Ｃ）は、それぞれ第十の実施の形態における防護パネルの移動状態を示す横断面図である。
【図１７】第十一の実施の形態における引戸式ドア装置の縦断面図である。
【発明を実施するための形態】
【０００９】
以下、本発明の第一の実施の形態について、図面に基づいて説明する。図面において、１は建築物の躯体開口部に設けられ、該開口部を開閉するドア体２を有する引戸式ドア装置であるが、前記開口部は、ドア枠を構成する上枠１ａ、左右の縦枠（戸尻側縦枠１ｂ、戸先側縦枠１ｃ）および下枠（沓摺り）１ｄに囲繞されて形成されており、かつ開口部の屋内外何れか一方（本実施の形態においては、屋外側）の戸尻側一半部は戸袋パネル３により覆蓋されているが、該戸袋パネル３はガラス材を用いて構成されている。さらに、前記ドア体２は、戸袋パネル３の屋内側面に沿って配され、後述するように、戸袋パネル３の屋内側面に沿ってスライド移動することにより、開口部の他半部を閉鎖する全閉姿勢と、戸袋パネル３に並列して開口部他半部を開放する全開姿勢とに開閉移動するように構成されている。
【００１０】
なお、前記ドア体２は、四周の框材２ａにより囲繞される空間にガラス材２ｂが嵌め込まれた構成となった上吊り式のものであり、かつ前記上枠１ａ内には、上下方向に幅広い収容室Ｒが確保され、該収容室Ｒ内に電動開閉機等からなる自動開閉機構Ｍが収容され、該電動開閉機の駆動によってドア体２は左右方向に自動的に移動することで前記開閉移動をするものであるが、これらの具体的構成については、従来通りのものを採用しているので、ここでは説明を省略する。尚、上枠１ａは、屋内側板が開閉できるカバー板１ｅになっており、該カバー板１ｅを開放することで自動開閉機構Ｍのメンテナンスができるようになっている。
【００１１】
４は本発明が実施された防護パネルであって、該防護パネル４は、上側框材４ａ、左右の縦框材（戸尻側框材４ｂ、戸先側框材４ｃ）および下側框材４ｄにより四周を囲繞された空間にガラス材４ｅを嵌め込んで構成される。そして防護パネル４は、ドア体２の移動軌跡を挟む状態で戸袋パネル３に対向する前記躯体開口部の他方の戸尻側半部（本実施の形態においては、屋内側）位置に、ドア体２を全閉姿勢にしたときに該防護パネル４の戸先側端部とドア体２の戸尻側端部とが屋内外に重なり合う重合部を有するようにして設けられ、これによって、防護パネル４と戸袋パネル３とがドア体２の内外の戸袋として機能するように構成され、ドア体２が開放方向にスライド移動することに伴い、ドア体２が戸袋パネル３と防護パネル４との間に引込まれるように構成されている。
【００１２】
次に防護パネル４の取付け構造について具体的に説明する。
前記戸尻側縦枠１ｂの上下には、一対の支持部材５が防護パネル４側（屋内側）に向けて突出するようにして固定（本実施の形態ではビス６を介して固定）されている。上下支持部材５の防護パネル４側突出片５ａの上下端縁には戸先側に向けて支持片５ｂがそれぞれ折曲形成されている。
一方、防護パネル４の戸尻側框材４ｂの戸尻側端部には筒状をした補助框材７が一体的に固着されるが、該補助框材７は、前記上下支持部材５に組み込まれ、上下の縦支軸８を介して内外方向揺動自在に軸支され、これによって防護パネル４は開き戸構造に構成されている。そして防護パネル４は、上下支持片５ａに設けたストッパ５ｃにより、ドア体２に対して隙間Ｓを存した平行な閉鎖姿勢よりもドア体２側への揺動が規制され、該閉鎖姿勢と屋内側に開放した開放姿勢とのあいだの開閉揺動ができるようになっている。
【００１３】
尚、縦支軸８は、上下支持部材５の上下外端面に摺動自在に当接するフランジ板９から一体に突設されると共に、上下支持部材５をあいだに挟むようにして設けた補強板１０に溶着されているが、該補強板１０には、補助框材７の内周面に当接する状態で該補助框材７内に嵌入する補強爪１１の基端部が溶着されている。
【００１４】
一方、前記防護パネル４の戸先側端部の戸袋パネル３と対向する面の上下框材４ａ、４ｄには、逆Ｌ字形をしたブラケット１２が取付けられ、該ブラケット１２の前記隙間Ｓ側に向いた突出片にはガイドローラ１３のローラ軸１３ａの下端部が固着されている。
【００１５】
また、ドア体２の上下框材２ａの防護パネル４との対向面には、ガイドレール１４がそれぞれ固着されるが、該ガイドレール１４は、縦断面視したときクランク形状をしていて、前記上下框材２ａに当接してビス１５を介して固定される支持部１４ａと、該支持部１４ａから防護パネル４方向に突出する突出部１４ｂと、該突出部１４ｂから下方に延出するレール部１４ｃとで構成されるが、該レール部１４ｃのドア体２側面下半部を前記ガイドローラ１３が転動するようになっており、これによって防護パネル４は、戸袋パネル３と対向する状態となって屋内側への開放揺動が規制され、これによって防護パネル４は閉鎖姿勢のままロックされ、ドア体２のみがスライド移動できるようになっている。
前記ガイドレール１４の戸尻側端部には、ドア体２を全閉したとき位置するガイドローラ１３の対向位置に、該ガイドローラ１３がガイドレール１４から抜け出すための抜け出し手段としての切欠き部１４ｄが形成され、これによって、ドア体２を全閉姿勢とした状態で、ガイドローラ１３を切欠き部１４ｄから抜き出すことで、防護パネル４は縦支軸８を支軸として閉鎖姿勢から開放姿勢に変姿揺動できるロック解除状態となるようになっている。なお、該ガイドローラ１３とガイドレール１４が本発明の開閉移動手段に相当する。
【００１６】
１６は前記切欠き部１４ｄを覆蓋するキャップ（本発明の「ロック手段」に相当する）であって、該キャップ１６は、矩形状の本体部１６ａ、該本体部１６ａの上端からドア体２方向へ突出する突出部１６ｂ、該突出部１６ｂの先端から上方へ略Ｌ字状に延出形成される摘み部１６ｃから成るが、本体部１６ａの左右二箇所には上下方向に長い一対の長孔１６ｄ、１６ｅが穿設されており、該長孔１６ｄ、１６ｅには、ガイドレール１４に固着された留め具１７、１７ａが長孔１６ｄ、１６ｅから抜止めする状態で上下方向に移動自在に貫通しており、これによってキャップ１６は、切欠き部１４ｄを開閉できるよう上下移動自在になっている。尚、留め具１７、１７ａは、ガイドローラ１３の上端よりも上位置でガイドレール１４に固着されている。
【００１７】
そして、防護パネル４を閉鎖姿勢とし、ドア体２のみをスライド移動させる通常時においては、突出部１６ｂがガイドレール１４の突出部１４ｂに上方から当接していてキャップ１６が下げられた姿勢とする、つまり留め具１７、１７ａが長孔１６ｄ、１６ｅの上端に位置する姿勢とすることで、ガイドレール１４の切欠き部１４ｄがキャップ１６によって覆蓋される構成となり、この状態では、ドア体２を全閉姿勢にして防護パネル４を開こうとしても、キャップ１６が切欠き部を閉鎖しているため、ガイドローラ１３がガイドレール１４の切欠き部１４ｄから抜け出ることがないため、防護パネル４の開放作動は規制されたロック状態とすることができる。つまり、該キャップ１６が防護パネル４のロック手段の役割を果たす。さらに、キャップ１６の裏面（ドア体２側面）には凸部１６ｆが設けられているが、該凸部１６ｆが切欠き部１４ｄに嵌まり込むことで該切欠き部１４ｄとキャップ１６との段差をなくして、ガイドローラ１３がスムーズに転動できるように構成されている。
【００１８】
次ぎに、防護パネル４を開く場合、つまり、ドア体２を全閉姿勢とした状態で、防護パネル４を閉鎖姿勢から開放姿勢に変姿揺動させる場合について説明する。
まず、摘み部１６ｃを摘んでロック手段であるキャップ１６を持ち上げ、キャップ１６の長孔１６ｄ、１６ｅの下端に留め具１７、１７ａが位置するようにスライド移動させると、ガイドレール１４の切欠き部１４ｄが開口する。なお、前記長孔１６ｄ、１６ｅは上下方向中間部が僅かに幅狭になっていて、前記キャップ１６を持ち上げたときに該持ち上げ姿勢に仮保持して切欠き部１４ｄを開放姿勢に維持できるようになっている。
そして、ドア体２を全閉姿勢とした状態で前記開口した切欠き部１４ｄからガイドローラ１３を臨むことができ、この状態で防護パネル４を屋内側に引くと、ガイドローラ１３が切欠き部１４ｄから抜き出され、これによって防護パネル４は閉鎖姿勢から開放姿勢に変姿揺動し、該防護パネル４が開き戸として機能することになる。
【００１９】
叙述の如く構成された第一の実施の形態において、戸尻側縦枠１ｂに固着させた支持部材５に防護パネル４の戸尻側を回動自在に取り付ける一方、該防護パネル４の戸先側にはガイドローラ１３をブラケットを介して取り付けて、ドア体２の上下框材２ａに設けたガイドレール１４を該ガイドローラ１３が転動するように構成することで、既存の戸袋を一方側にのみ有する引戸式ドア装置であっても、他方側に戸袋の機能を備えた防護パネル４を容易に取り付けることができる。
しかも該取付けられた防護パネル４は、戸尻側縦枠１ｂとドア体２とに取付けられるものであるから、フランス落し錠を設けた場合のように床面に落し穴を設けるような必要がない。
そして通常は、キャップ１６が切欠き部１４ｄを覆っていてガイドローラ１３が切欠き部から抜け出ることがないようにして防護体４が開くのをロックしているため、防護パネル４は移動することなく、ドア体２のみの開閉作動をすることができる。
【００２０】
このような防護パネル４を戸袋内を掃除する等で開放するときには、ドア体２を全閉姿勢にすると共にキャップ１６を持ち上げることで切欠き部１４ｄ位置にガイドローラ１３が位置することになってロック解除状態となり、この状態で防護パネル４を屋内方向に引くことで該切欠き部１４ｄからガイドローラ１３が抜け出ることになって、防護パネル４を開き戸として開放させることができ戸袋パネル３および防護パネル４のドア体側面の掃除等をすることができる。
【００２１】
そしてこのものでは、ガイドレール１４に、ガイドローラ１３を抜き出すための切欠き部１４ｄを設けられているが、該切欠き部１４ｄは、キャップ１６の裏面に設けた凸部１６ｆが嵌まり込むことによりガイドレール１４のレール面とフラットになり、通常時のドア体２のスライド移動時に支障をきたすことがなく、ドア体２をスムーズにスライド移動させることができる。
【００２２】
さらにこのものでは、防護パネル４を後付けしたとしても、防護パネル４が上枠１ａではなく、框材２ａ及び支持部材５に取り付けられることになるため、上枠１ａ内に収容される自動開閉機構Ｍのメンテナンスをする際に、防護パネル４、支持部材５、ガイドローラ１３、ガイドレール１４等の各種部材を取り外す必要がなく、上枠のカバー板１ｅを取り外すだけで、自動開閉機構Ｍが露出するため、メンテナンス作業を容易に行うことができるものである。
【００２３】
尚、本発明は前記第一の実施の形態に限定されるものでなく、防護パネル４のロック機構を、図７、８に示す第二の実施の形態のようにすることもできる。尚、第一の実施の形態と同じものについては同じ符号を付すと共に詳細な説明は省略する。
１８はドア体２の上下框材２ａの防護パネル４との対向面に固着されるガイドレールであって、支持部１８ａ、突出部１８ｂ、レール部１８ｃからなるクランク形状をしていて、ビス１５で上下框材２ａに固定される点、該レール部１８ｃのドア体２側面した半部をガイドローラ１３が転動する点等については、第一の実施の形態のガイドレール１４と同様であるため、説明を省略する。
前記ガイドレール１８のレール部１８ｃの戸尻側先端部位、つまり、ドア体２を全閉したとき位置するガイドローラ１３の対向位置は、該ガイドローラ１３が抜け出すための抜け出し手段である切欠き部１８ｄが切り欠き形成されている。これによって、ドア体２を全閉姿勢とした状態で、切欠き部１８ｄからガイドローラ１３を抜き出すことで防護パネル４を閉鎖姿勢から開放姿勢に変姿揺動できるようになっている。
【００２４】
１９は、前記ガイドレール１８の切欠き部１８ｄを覆うキャップであって、ガイドレール１８の突出部１８ｂの上面に当接する本体部１９ａ、該本体部１９ａの防護パネル４側端縁から垂下している垂下片１９ｂから形成されている。さらに、前記本体部１９ａには左右方向に長い長孔１９ｃが穿設され、該長孔１９ｃに、ガイドレール１８の戸先側先端部位から上方に突出したピン２０に対し移動自在に貫通している。そして、本体部１９ａの戸先側部位に設けられた操作部（本実施の形態では凹孔であるが例えば摘みであってもよい。）１９ｄに指（工具でも良い。）を入れながらキャップ１９を左右にスライドさせることで、キャップ１９がガイドレール１８に対し、スライド移動できるように構成されている。
【００２５】
そして、防護パネル４を閉鎖姿勢とし、ドア体２をスライド移動させる通常時においては、キャップ１９をガイドレール１８に嵌め込んだ状態、つまり、前記ピン２０が長孔１９ｃの戸尻側端部に位置しておけば、ガイドレール１８のレール部１８ｃの戸尻側先端１８ｅとキャップ１９の延出片１９ｂの戸先側先端１９ｅとが当接した状態となって、ガイドレール切欠き部１８ｄは該垂下片１９ｂによって塞がれて、段差のない一平面状のレールが形成される。この状態で、ドア体２をスライド移動させると、戸先から戸尻まで、ガイドローラ１３がガイドレール１８内を滑らかに転動することとなって、ドア体２がスムーズに開閉できる。
また、このとき、仮にドア体２を全閉姿勢にして防護パネル４を開こうとしても、該キャップ１９がガイドレール切欠き部１８ｄを覆っているため、ガイドローラ１３がガイドレール１８から外れることはなく、防護パネル４を開くことができないロック状態とすることができる。つまり、該キャップ１９が防護パネル４のロック手段の役割を果たしている。
【００２６】
次ぎに、防護パネル４を開く場合、つまり、ドア体２を全閉姿勢とした状態で、防護パネル４を閉鎖姿勢から開放姿勢に変姿させる場合について説明する。
まず、キャップ１９の操作部１９ｄに指を入れ、ピン２０が長孔１９ｃの戸先側端部に位置するようにキャップを戸尻側方向へスライド移動させ、これによって切欠き部１８ｄを開口させると共に、ドア体２を全閉姿勢としすると、前記開口した切欠き部１８ｄからガイドローラ１３を臨むことができ、この状態で防護パネル４を屋内側に引くと、ガイドローラ１３が切欠き部１４ｄから抜き出され、これによって防護パネル４は閉鎖姿勢から開放姿勢に変姿揺動し、該防護パネル４が開き戸として機能することになり、このようにしても、前記第一の実施の形態と同様、戸袋として機能する防護パネル４を簡単に後付できると共に、床面に穴を開けたるすることなく戸袋姿勢にロックすることができ、しかも必要において開き戸として開放することができる。
【００２７】
また、図９に示す第三の実施の形態のようにしても本発明を実施することができる。つまりこのものでは、ガイドローラ２１の下端から、防護パネル４側のブラケット１２に固定された雌螺子部２２に螺合する雄螺子部２３ａを有した摘み２３を設け、該摘み２３を回し操作することでガイドローラ２１の上下移動をし、これによってガイドローラ２１のガイドレール２４に対する挿脱ができ、防護パネルをロックできるようにしたものであり、このようにすることで前記第一、第二の実施の形態のものと同様のものとすることができる。そしてこの場合には、ガイドレール側に切欠き部を設ける必要がないものにできる。
【００２８】
さらに、摘みを図１０に示す第四の実施の形態のような構成としても本発明を実施することができる。
このものは、防護パネル４側のブラケット２５に、該ブラケット２５に設けた孔２５ａに嵌合する板バネ２６ａを有した摘み２６を設け、該摘み２６を把持して上下方向に押し引き操作をすることで、該板バネ２６に形成の山部２６ｂが前記ブラケット孔２５ａ部位を無理越えすることになって上下移動し、これによってガイドローラ２１のガイドレール２４に対する挿脱ができるようにしたものであり、このようにすることで摘みの挿脱操作が簡単になると共に、ガイドローラ２１のガイドレール２４への挿入姿勢の維持が簡単になる。
【００２９】
また、図１１に示す第五の実施の形態のもののように、防護パネル４に取り付けるブラケット２７に弾機２７ａにより付勢されたボール２７ｂを配し、摘み２８の中間部の上下二箇所に凹部２８ａ、２８ｂを設けたボールロックピン形式（デテント構造）のものとし、そして第四の実施の形態と同様に摘み２８を把持して上下方向に押し引き操作することで、上下凹部２８ａ、２８ｂの何れか一方にボール２７ｂが嵌合することになり、これによってガイドローラ２１のガイドレール２４に対する挿脱操作と、挿入姿勢および脱出姿勢の維持とがができるようにしたものである。
【００３０】
またさらに、ガイドレールの形状を、図１２（Ａ）〜（Ｄ）に示す第六〜第九の実施の形態のもののようにすることもできる。
まず、図１２（Ａ）に示す第六の実施の形態において、ガイドレール２９は、略冂字状をした頭部２９ａ、略コ字状をした固着部２９ｂ、略冂字状をしたレール部２９ｃが上下方向に一体形成されたものである。そして、該ガイドレール２９は、ガイドレール固着部２９ｂにおいてレール補助材３０を介してドア体２の上下框材２ａに固着させるが、上框材２ａ側のガイドレール２９は、上枠１ａのカバー体１ｅの下端から僅かに間隙を設けた位置に該ガイドレール頭部２９ａの上端が位置するようにして設けられる。
次に、図１２（Ｂ）〜（Ｄ）に示す第七〜第九の実施の形態について、各ガイドレール３１、３２、３３の固着部３１ｂ、３２ｂ、３２ｂ及びレール部３１ｃ、３２ｃ、３３ｃは前記第六の実施の形態のガイドレール２９と同様の構成を有するものであるため、説明を省略する。
図１２（Ｂ）に示す第七の実施の形態のものは、頭部３１ａが、上方向凸状に湾曲した形状をしたガイドレール３１として、図１２（Ｃ）に示す第八の実施の形態のものは、頭部３２ａが傾斜した形状をしたガイドレール３２として、図１２（Ｄ）に示す第九の実施の形態のものは、頭部３３ａが下方向凸状に湾曲した形状をしたガイドレール３３として構成されている。
そして、これらのようにすることで、上枠カバー体１ｅとガイドレール２９、３１、３２、３３とが意匠的に一体となったものとすることができて、防護パネル４を後付けする場合であっても、美感に優れたものとすることができる。
【００３１】
なお、第一〜第九の実施の形態において、防護パネル４にガイドローラを、ドア体２にガイドレールを設けた構成としたが、防護パネル４側にガイドレールを、ドア体２側にガイドローラを設けた逆の構成としても本発明を実施することができる。
【００３２】
さらに、開き戸式の防護パネルだけでなく、図１３に示す第十の実施の形態のように、引戸式の防護パネル３４とすることもできる。なお、第一の実施の形態と同じものについては同じ符号を付すと共に詳細な説明は省略する。
防護パネル３４は、上側框材３４ａ、左右の縦框材（戸尻側框材３４ｂ、戸先側框材３４ｃ）および下側框材３４ｄにより四周を囲繞された空間にガラス材３４ｅを嵌め込んで構成されているが、該防護パネル３４の取付け位置や、ドア体２が開放方向にスライド移動する際に、戸袋パネル３と該防護パネル３４との間に引き込まれるように構成され、該戸袋パネル３と防護パネル３４とがドア体２の内外の戸袋として機能するように構成されている点は第一の実施の形態と同様である。
【００３３】
引戸式ドア装置１の戸尻側、戸先側縦枠１ｂ、１ｃには、それぞれ戸尻側、戸先側補助枠３５ａ、３５ｂが防護パネル３４側（屋内側）に向けて突出するようにして固定されている。
一方、防護パネル３４の戸尻側框材３４ｂの上下端部には、摘み部３６ａを備えた鎌錠３６（本発明の「ロック手段」に相当する）が組み付けられており、前記戸尻側補助枠３５ａに設けられている錠受け３５ｃに鎌錠３６の錠部３６ｂを係合させて施錠することで、防護パネル３４の移動を規制して、防護パネル３４は閉鎖姿勢のまま、ドア体２のみがスライド移動できるように構成され、逆に、鎌錠３６を開錠することで防護パネル３４が移動できるように構成されている。
【００３４】
そして、防護パネル３４の戸袋パネル３と対向する面の上下框材３４ａの戸尻側端部、戸先側端部には、逆Ｌ字形をしたブラケット１２がそれぞれ取り付けられ、該ブラケット１２の隙間Ｓ側に向いた突出片１２ａには、戸尻側、戸先側ガイドローラ３７、３８のローラ軸３７ａ、３８ａの下端部がそれぞれ固着されている。
さらに、ガイドローラ３７、３８のローラ中間位置には、後述するレール凸部３９ｃが嵌入するための凹溝３７ｂ、３８ｂが周回り方向に一周形成されている。
【００３５】
一方、ドア体２の上下框材２ａの防護パネル３４との対向面には、ガイドレール３９がそれぞれ固着されるが、該ガイドレール３９は、縦断面視において略ｈ字形状をしていて、前記上下框材２ａに当接してビス４０を介して固定される支持部３９ａと、略冂字状のレール部３９ｂとで構成されている。
さらに、該レール部３９ｂの縦方向中間位置には、レール内部方向に向けて突出する凸部３９ｃが形成されており、該凸部３９ｃにガイドローラ凹溝３７ｂ、３８ｂが回動自在な状態で支持され、これによって、ドア体２が防護パネル３４に対して、防護パネル３４がドア体２に対して、スライド移動できるように構成されている。
なお、ガイドローラ３７、３８とガイドレール３９が本発明の開閉移動手段に相当する。
【００３６】
しかも、防護パネル３４には、該防護パネル３４の下端の戸先側には戸車４１が配されているが、防護パネル３４を開閉移動させる際に、戸車４１が片持ち状になった防護パネル３４の戸先側下端を支えることになって、スムーズにスライド移動できるように構成されている。
【００３７】
ここで、防護パネル３４を閉鎖姿勢とし、ドア体２のみをスライド移動させる通常の場合について説明する。
この場合、防護パネル３４は、鎌錠３６によって補助枠３５に固定されていて、移動が規制され、戸袋を閉鎖する閉鎖姿勢を保っている。そして、この状態でドア体２が躯体開口部を開放、閉鎖する方向、つまり左右にスライド移動させることになるが、ドア体２と防護パネル３４とは重合部を有するため、本実施の形態では、戸先側ガイドローラ３８のみがガイドレール３９に嵌入して該ガイドレール３９内を転動し、ドア体２が全開姿勢の場合でも戸尻側ガイドローラ３７はガイドレール３９に嵌入しない。
【００３８】
次に、戸袋内の掃除等のために戸袋を開放する場合、つまり、防護パネル３４をスライド移動させる場合について説明する。
この場合、ドア体２を全閉姿勢にした状態で、防護パネル３４の戸袋を開放する方向（戸先側）へスライド移動させることになる。
まず、鎌錠３６の摘み部３６ａによって開錠操作をして、補助枠３５の錠受け３５ｂと錠部３６ｂとの係合を解除し、防護パネル３４がスライド移動可能な状態にする。そしてこの状態で、防護パネル３４を戸先側方向へスライド移動させると、戸先側ガイドローラ３８がガイドレール３９内を転動しながら移動する。その後、戸尻側ガイドローラ３７がガイドレール３９の戸尻側端部に至ると、該戸尻側ガイドローラ３７がガイドレール３９に嵌入して、戸先側ガイドローラ３８と同様にガイドレール３９内を転動する。このとき、戸車４１によって、戸尻側ガイドローラ３７とガイドレール３９との嵌入がスムーズにできるよう、誘導支持されている。
さらに防護パネル３４を移動させると、戸先側ガイドローラ３８がガイドレール３９の戸先側端部から抜け出て、戸尻側ガイドローラ３７のみがガイドレール３９内を転動し、防護パネル３４が戸先側縦枠１ｃに至って戸袋全開状態となる。そして、この戸袋全開状態で戸袋内を清掃することになる。
【００３９】
なお、ドア体２を予め全閉姿勢にしてから防護パネル３４を戸先側へスライド移動させたが、ドア体２を全開姿勢にした状態でドア体２と防護パネル３４とを同時に戸先側へスライド移動させることも可能である。
【００４０】
また、ドア体２を全開姿勢にした状態で、防護パネル３４のみを戸先側へスライド移動させることも可能である。このときも同様に、戸先側ガイドローラ３８のみがガイドレール３９に嵌入している状態から、戸尻側ガイドローラ３７もガイドレール３９に嵌入し、さらに防護パネル３４を戸先側へ移動させると、戸先側ガイドローラ３８はガイドレール３９から抜け出て、戸尻側ガイドローラ３７のみがガイドレール３９内を転動し、これによって防護パネル３４を戸先側縦枠１ｃに至るまでスライド移動できるように構成されている。
このようにドア体２は全開状態で、防護パネル３４のみ戸先側へ移動させると、例えば、防護パネル３４のドア体２との対向面を掃除することができる。
【００４１】
一方、戸先側縦枠１ｃに防護パネル３４の戸先側框材３４ｃが当接している状態である戸袋全開状態から、戸袋全閉状態にするためには、防護パネル３４を戸尻側へ向けてスライド移動させることになる。
この場合、戸袋を開放する場合と逆の動きとなって、スライド移動開始時は、戸尻側ガイドローラ３７のみがガイドレール３９内を転動し、さらに防護パネル３４を移動させると、ガイドレール３９の戸先側端部に戸先側ガイドローラ３７が至って、戸先側ガイドローラ３８がガイドレール３９内に嵌入し、その後、戸尻側ガイドローラ３７がガイドレール３９から抜け出て、戸先側ガイドローラ３８のみがガイドレール３９内を転動する状態で、防護パネル３４の戸尻側框材３４ｂが補助枠３５に当接し、鎌錠３６によって防護パネル３４は補助枠３５に係止、施錠される。
【００４２】
このように構成することで、戸尻側縦枠１ｂに補助枠３５を固着させる一方、防護パネル３４の上下框材３４ａ、３４ｄの戸尻側及び戸先側にガイドローラ３７、３８をブラケット１２を介して取り付け、ドア体２の上下框材２ａに設けたガイドレール３９を該ガイドローラ３７、３８が転動するように構成することで、既存の戸袋を一方側にのみ有する引戸式ドア装置であっても、他方側に戸袋の機能を備えた引戸式の防護パネル３４を容易に取り付けることができる。
そして、開き戸式の防護パネルを開閉させるスペースが確保できないような場合であっても、取付け作業がしやすく、清掃やメンテナンス性に優れた引き戸式の防護パネル３４を設置することができる。
しかも、戸車４１を防護パネル３４の下端に設けることで、ガイドローラ３７、３８の何れか一方のみがガイドレール３９内を転動する場合であっても、防護パネル３４が傾くことなくスムーズにスライド移動でき、さらに、ガイドローラ３７、３８とガイドレール３９との嵌入や抜出しがスムーズにできるため、防護パネル３４のスライド移動が容易である。そしてこのものも、防護パネル３４は上枠ではなく上框材に設けたから、自動開閉機構Ｍ等の上枠内に収納された部材をメンテナンスする場合、防護パネル３４を取外すことなく作業できるため、該防護パネル３４を後付けした場合であっても、作業性を損なうことがない。
【００４３】
またさらに、ガイドローラを用いず、図１７に示す第十一の実施の形態のように略コ字状をした第一、第二ガイドレール４２ａ、４２ｂを用いた所謂スライドレール４２を採用することもできる。なお、スライドレール４２は第一、第二ガイドレール４２ａ、４２ｂが中間部に配したボール４２ｃを介して、戸先側、戸尻側の両方向にスライド移動できるように構成されたものであるが、これらの具体的構成については、従来通りのものを採用しているため、ここでは説明を省略する。
また、スライドレール４２以外の構成については前記第十の実施の形態のものと同じものを用いることができるため、同じ符号を付すると共に、詳細な説明は省略する。
【００４４】
まず、ドア体２の上下框材２ａの防護パネル３４との対向面に第一ガイドレール４２ａを固着させ、防護パネル３４の上下框材３４ａ、３４ｄのドア体２との対向面に第二ガイドレール４２ｂを固着させて、スライドレール４２を組み付ける。
そして、通常のドア体２を開閉移動させる場合は、鎌錠３６を施錠して防護パネル３４を固定し、ドア体２をスライド移動させると、固定されている第二ガイドレール４２ｂに対して第一ガイドレール４２ａがベアリング４２ｃを介して摺動することになって、ドア体２を左右に開閉移動させることができる。
一方、防護パネル３４を開閉移動させる場合は、鎌錠３６を開錠して防護パネル３４の移動規制を解除し、この状態で防護パネル３４をスライド移動させると、第一ガイドレール４２ａに対して第二ガイドレール４２ｂがベアリング４２ｃを介して摺動することになって、防護パネル３４を開閉移動させることができる。
【００４５】
このように構成することで、ドア体２および防護パネル３４を滑らかにスライド移動させることができ、作業性に優れたものとすることができる。
【産業上の利用可能性】
【００４６】
本発明は、建築物の出入口部等に設けられる引戸式ドア装置の技術分野に利用することができる。
【符号の説明】
【００４７】
１    引戸式ドア装置
１ｅ  カバー体
２    ドア体
２ａ  框材
４    防護パネル
５    支持部材
７    補助框材
１２    ブラケット
１３    ガイドローラ
１４    ガイドレール
１４ａ  支持部
１４ｂ  突出部
１４ｃ  レール部
１４ｄ  切欠き部
１６    キャップ
１８    ガイドレール
１９    キャップ
１９ｃ  長孔
Ｓ    隙間
【図１】
2012202095.tif 000003
【図２】
2012202095.tif 000004
【図３】
2012202095.tif 000005
【図４】
2012202095.tif 000006
【図５】
2012202095.tif 000007
【図６】
2012202095.tif 000008
【図７】
2012202095.tif 000009
【図８】
2012202095.tif 000010
【図９】
2012202095.tif 000011
【図１０】
2012202095.tif 000012
【図１１】
2012202095.tif 000013
【図１２】
2012202095.tif 000014
【図１３】
2012202095.tif 000015
【図１４】
2012202095.tif 000016
【図１５】
2012202095.tif 000017
【図１６】
2012202095.tif 000018
【図１７】
2012202095.tif 000019